(57)【要約】 【課題】電源コードを固定部に容易に取り外しできる首振り機構付電気ストーブを提供する。【解決手段】本体ケース部３を回転自在に支持しすると共に首振りを行う首振り機構部５及び首振り機構部５を支持する支柱７の一端とが固定される支柱固定部８の上面に、ベース部９、支柱７、支柱固定部８内を通って支柱固定部８の上方に突出する電源コード２６を保持するコード保持部２７を立設したので、組み立てや修理の時、支柱固定部８に立設したコード保持部２７に電源コード２６を容易に取り外しできるので、大変作業性をよくすることができるものである。【選択図】図７
2010071494.tif 000002
【特許請求の範囲】
【請求項１】
ヒータを備えた本体ケース部と支持部とからなり、該支持部は本体ケース部を回転自在に支持すると共に本体ケース部の首振りを行う首振り機構部と、該首振り機構部及び首振り機構部を支持する支柱の一端とが固定される支柱固定部と、前記支柱の他端が固定されて支柱を支持するベース部とを有する電気ストーブに於いて、前記支柱固定部の上面にベース部、支柱、支柱固定部内を通って支柱固定部の上方に突出する電源コードを保持するコード保持部を立設したことを特徴とする電気ストーブ。
【請求項２】
前記コード保持部は、長手方向に電源コードを差し込むための差し込み部を有した略円筒状のもので、その上方に設けた上部係止片と、その下方に設けた下部係止片とによりコード固定手段係止部を形成したことを特徴とする請求項１記載の電気ストーブ。
【請求項３】
前記コード保持部の上部は断面略Ｕ字状に形成され、該上部の下の中央部は断面略Ｃ字状に形成され、前記コード保持部の上部の断面略Ｕ字状の一端がその下の中央部の断面略Ｃ字状の一端より円周方向に突出して上部係止片を形成し、前記コード保持部の中央部の断面略Ｃ字状の他端がその上の上部の断面略Ｕ字状の他端より円周方向に突出して下部係止片を形成すると共に、前記上部係止片の方向と下部係止片の方向は略直交していることを特徴とする請求項２記載の電気ストーブ。
【発明の詳細な説明】
【技術分野】
【０００１】
この発明は、首振り機構付電気ストーブに関するものである。
【背景技術】
【０００２】
従来よりこの種のものに於いは、例えば、ヒータを備えた本体ケースと、この本体ケースを支持するベース部とからなり、本体ケースの首振り軸がベース部の軸受にて回転自在に支持されて、その首振り軸を中心に本体ケースの首振りが行われ、ヒータへの電源供給用電線は、首振り軸の軸回りや軸内部を通す構造となっていた。（例えば、特許文献１参照）
【特許文献１】特開昭６０−２３８６２３号公報
【０００３】
ところでこの電気ストーブでは、本体ケースの首振りに伴って電源供給用電線が回りの部品に接触するため、首振りを繰り返すことで電源供給電線の被覆が摩耗し、いずれは被覆が破れてショートする可能性がある。また、電線に大きな曲げが加わる場合には、素線に応力がかかることで、首振りの繰り返しによって疲労破断を引き起こす等の課題を有していた。
【０００４】
そこで、首振り軸内を通って首振り軸より突出する電源供給用電線の両側が、首振り軸の軸線上にて本体ケース側およびベース部側で保持されており、さらに、電源供給用電線を保持する少なくとも何れか一方の保持部が、支持手段によって首振り軸の軸方向に移動可能に支持され、本体ケースの首振り時に、電源供給用電線が捩じれて軸方向の長さが変動すると、支持手段によって支持された保持部が首振り軸の軸方向に移動することで、電源供給用電線の伸び縮みの変動が吸収される構造のものがあった。（例えば、特許文献２参照）
【特許文献２】特開平０５−８７３５２号公報
【発明の開示】
【発明が解決しようとする課題】
【０００５】
ところでこの従来のものでは、電源供給用電線が首振り軸内を通っているため、組み立て時や修理の時、首振り軸に電源供給用電線を通したり抜いたりしなくてはならないため、大変作業性が悪かった。
また従来の構造では、本体ケースの首振りに伴って電源供給用電線が回りの部品に接触して次第に電源供給電線の被覆が摩耗し、被覆が破れてショートしたり、電線に大きな曲げが繰り返し加って疲労破断を引き起こさないために、首振り軸内を通って首振り軸より突出する電源供給用電線の両側を本体ケース側およびベース部側で保持し、更に電源供給用電線を保持する少なくとも何れか一方の保持部を、支持手段によって首振り軸の軸方向に移動可能に支持するという複雑な構造にする必要があった。
【課題を解決するための手段】
【０００６】
この発明はこの点に着目し上記課題を解決する為、特にその構成を請求項１では、ヒータを備えた本体ケース部と支持部とからなり、該支持部は本体ケース部を回転自在に支持すると共に本体ケース部の首振りを行う首振り機構部と、該首振り機構部及び首振り機構部を支持する支柱の一端とが固定される支柱固定部と、前記支柱の他端が固定されて支柱を支持するベース部とを有する電気ストーブに於いて、前記支柱固定部の上面にベース部、支柱、支柱固定部内を通って支柱固定部の上方に突出する電源コードを保持するコード保持部を立設したものである。
【０００７】
又請求項２に係る電気ストーブでは、特にその構成を請求項１の電気ストーブにおいて、前記コード保持部は、長手方向に電源コードを差し込むための差し込み部を有した略円筒状のもので、その上方に設けた上部係止片と、その下方に設けた下部係止片とによりコード固定手段係止部を形成したものである。
【０００８】
又請求項３に係る電気ストーブでは、特にその構成を請求項２の電気ストーブにおいて、前記コード保持部の上部は断面略Ｕ字状に形成され、該上部の下の中央部は断面略Ｃ字状に形成され、前記コード保持部の上部の断面略Ｕ字状の一端がその下の中央部の断面略Ｃ字状の一端より円周方向に突出して上部係止片を形成し、前記コード保持部の中央部の断面略Ｃ字状の他端がその上の上部の断面略Ｕ字状の他端より円周方向に突出して下部係止片を形成すると共に、前記上部係止片の方向と下部係止片の方向は略直交しているものである。
【発明の効果】
【０００９】
この発明の請求項１によれば、ヒータを備えた本体ケース部を回転自在に支持すると共に本体ケース部の首振りを行う首振り機構部及び首振り機構部を支持する支柱の一端とが固定される支柱固定部の上面に、支柱の他端が固定されて支柱を支持するベース部、支柱、支柱固定部内を通って支柱固定部の上方に突出する電源コードを保持するコード保持部を立設したので、組み立て時や修理の時、首振り軸の軸回りや軸内部に電源コードを通したり抜いたりする必要がなく、支柱固定部に立設したコード保持部に電源コードを取り付けたり外したりするだけでいいので、大変作業性をよくすることができるものである。
【００１０】
また、支柱固定部に立設したコード保持部に電源コードを取り付ることで本体ケース部が首振り動作をしても電源コードが回りの部品に接触せず、接触による電源コードの被覆が摩耗や、被覆が破れてショートや、電源コードの電線の疲労破断を防止できるものである。
【００１１】
又本発明の請求項２に記載の電気ストーブによれば、請求項１の電気ストーブに於いて、前記コード保持部は、長手方向に電源コードを差し込むための差し込み部を有した略円筒状のもので、その上方に設けた上部係止片と、その下方に設けた下部係止片とによりコード固定手段係止部を形成したので、組み立て時や修理の時、首振り軸の軸回りや軸内部に電源コードを通したり抜いたりする必要がなく、支柱固定部に立設した略円筒状のコード保持部の差し込み部から電源コードを取り付けたり外したりするだけでいいので、大変作業性をよくすることができるものである。
【００１２】
また、コード保持部に電源コードを取り付けるために、コード保持部の差し込み部から電源コードを差し込んだ状態でコード固定手段で電源コードを取り付けるので、コード固定手段を取ったり外したりするだけで容易に電源コードをコード保持部に取り外しでき、更にコード固定手段が上方向に動くとコード保持部の上部係止片に当接し、下方向に動くとコード保持部の下部係止片に当接して、コード固定手段がコード保持部から外れないようになっているので、確実に電源コードをコード保持部に取り付けることができるものである。
【００１３】
また、支柱固定部に立設したコード保持部に電源コードを取り付ることで本体ケース部が首振り動作をしても電源コードが回りの部品に接触せず、接触による電源コードの被覆が摩耗や、被覆が破れてショートや、電源コードの電線の疲労破断を防止できるものである。
【００１４】
又本発明の請求項３に記載の電気ストーブによれば、請求項２の電気ストーブに於いて、前記コード保持部の上部を断面略Ｕ字状に形成し、その下の中央部は断面略Ｃ字状に形成して異なる断面形状とし、上部係止片と下部係止片の方向を略直交するように形成したので、前記コード保持部は、長手方向に電源コードを差し込むための差し込み部を有した略円筒状のもので、その上方に設けた上部係止片と、その下方に設けた下部係止片とによりコード固定手段係止部を形成したので、組み立て時や修理の時、首振り軸の軸回りや軸内部に電源コードを通したり抜いたりする必要がなく、支柱固定部に立設した略円筒状のコード保持部の差し込み部から電源コードを取り付けたり外したりするだけでいいので、大変作業性をよくすることができるものである。
【００１５】
また、コード保持部に電源コードを取り付けるために、コード保持部の差し込み部から電源コードを差し込んだ状態でコード固定手段で電源コードを取り付けるので、コード固定手段を取ったり外したりするだけで容易に電源コードをコード保持部に取り外しでき、更にコード固定手段が上方向に動くとコード保持部の上部係止片に当接し、下方向に動くとコード保持部の下部係止片に当接して、コード固定手段がコード保持部から外れないようにできるものである。
【００１６】
更に上部係止片と下部係止片の方向が略直交しているので、コード保持部全体では電源コードを包むようにして電源コードが外れにくくすると共に電源コードを保護し、またコード固定手段の取り付け位置がコード保持部の略中心付近の位置となるので、より確実に電源コードをコード保持部に取り付けることができると共に、より確実にコード固定手段がコード固定手段係止部に当接してコード保持部から外れないようにできるものである。
【００１７】
また、支柱固定部に立設したコード保持部に電源コードを取り付ることで本体ケース部が首振り動作をしても電源コードが回りの部品に接触せず、接触による電源コードの被覆が摩耗や、被覆が破れてショートや、電源コードの電線の疲労破断を防止できるものである。
【発明を実施するための最良の形態】
【００１８】
次に、本発明に係る発明の一実施形態を図面に基づいて説明する。
１は電気ストーブで、２本のヒータ２を備えた本体ケース部３と支持部４とからなり、前記支持部４は本体ケース部３を回転自在に支持すると共に本体ケース部３の首振りを行う首振り機構部５と、該首振り機構部５を覆うカバー部６と、前記首振り機構部５と該首振り機構部５を支持する支柱７の一端とが固定される支柱固定部８と、前記支柱７の他端が固定されて支柱７を支持するベース部９から構成されている。
【００１９】
前記本体ケース部３は、正面下部に暖房能力を表示する表示部１０を設けると共に、上面には操作部１１を設け、該操作部１１は暖房運転のオンオフ及び暖房能力を設定する回転式の運転つまみ１２と、暖房能力をある幅で高低させるゆらぎ運転スイッチ１３と、３０分から１〜３時間まで運転時間を設定できる切りタイマースイッチ１４と、本体ケース部３を首振り動作させる首振りスイッチ１５を有するものである。
【００２０】
叉前記首振り機構部５は、本体ケース部３を回転自在に支持する回転軸ユニット１６と、首振りさせるための駆動用モータ１７と、首振り軸１８を有し前記回転軸ユニット１６と駆動用モータ１７が固定されるモータ取り付け台１９と、前記駆動用モータ１７の回転を首振りの往復動作に変換するリンク２０とを有するものである。
【００２１】
叉前記支柱固定部８は、前記モータ取り付け台１９を載置するモータ取付板カバー２１と、該モータ取付板カバー２１を載置する支柱固定板カバー２２と、該支柱固定板カバー２２を載置すると共に支柱７の上端が差し込まれて固定される支柱固定板２３とからなるものである。
【００２２】
前記支柱固定板カバー２２は断面略逆凹形状の円筒状で、上面２４にはその中心にモータ取り付け台１９の首振り軸１８が差し込まれる中空円筒状の軸受け部２５が立設され、また電源コード２６を保持するコード保持部２７が立設されているものである。
【００２３】
前記コード保持部２７は、長手方向に電源コード２６を差し込むための差し込み部２８を有した略円筒状のもので、上部２９が断面略Ｕ字状で、その下の中央部３０が断面略Ｃ字状、そして更にその下の下部３１が断面略コの字状に形成されており、そして前記下部３１の下方、つまり支柱固定板カバー２２内には電源コード２６を案内する筒状の案内部３２が形成されていると共に、下部３１と支柱固定板カバー２２の上面２４が接する部分には、電源コード２６の抜き差しが容易になるように電源コード開口部３３が上面２４に形成されているものである。
【００２４】
また前記コード保持部２７の上部２９には、その断面略Ｕ字状の一端がその下の中央部３０の断面略Ｃ字状の一端より円周方向に突出して上部係止片３４が形成され、中央部３０にはその断面略Ｃ字状の他端がその上の上部２９の断面略Ｕ字状の他端より円周方向に突出して下部係止片３５が形成され、前記上部係止片３４の方向と下部係止片３５の方向は略直交しており、この上部係止片３４の方向と下部係止片３５とによりコード固定手段係止部３６が形成されているものである。
【００２５】
次にこのコード保持部２７に電源コード２６を通して固定する作業について説明する。
まず一端に家庭用電源コンセント口に差し込むコンセント（図示せず）が設けられた電源コード２６の他端を、ベース部９内から支柱７内、支柱固定板２３内を通って更に支柱固定板カバー２２内の案内部３２から電源コード開口部３３から支柱固定板カバー２２の上方に突出させる。
【００２６】
次にこの支柱固定板カバー２２の上方に突出した電源コード２６の他端を、コード保持部２７の差し込み部２８からコード保持部２７内に位置させ、その状態で上部２９の上部係止片３４と中央部３０の下部係止片３５の間の位置にナイロンバンドからなるコード固定手段３７をコード保持部２７の周りを回して締結させることにより、電源コード２６をコード保持部２７内に組み込むものである。
【００２７】
前記コード保持部２７の周りを回して締結させたコード固定手段３７が上方にずれようとすると、下の中央部３０の断面略Ｃ字状の一端より円周方向に突出している上部２９の上部係止片３４にコード固定手段３７が当たってそれ以上上方にはずれず、逆にコード固定手段３７が下方にずれようとすると、上の上部２９の断面略Ｕ字状の他端より円周方向に突出ししている中央部３０の下部係止片３５にコード固定手段３７が当たってそれ以上下方にはずれず、確実に電源コード２６をコード保持部２７内に組み込んだ状態を保持できるものである。
【００２８】
また、コード保持部２７内に組み込んだ状態の電源コード２６をコード保持部２７から取り外す時は、コード固定手段３７を取り外せば、電源コード２６をコード保持部２７の長手方向に形成した差し込み部２８から容易に取り外すことができるものである。
【００２９】
以上のようにヒータ２を備えた本体ケース部３を回転自在に支持すると共に本体ケース部３の首振りを行う首振り機構部５及び首振り機構部５を支持する支柱７の一端とが固定される支柱固定部８の上面に、支柱７の他端が固定されて支柱７を支持するベース部９、支柱７、支柱固定部８内を通って支柱固定部８の上方に突出する電源コード２６を保持するコード保持部２７を立設したので、組み立て時や修理の時、首振り軸の軸回りや軸内部に電源コード２６を通したり抜いたりする必要がなく、支柱固定部８に立設したコード保持部２７に電源コード２６を取り付けたり外したりするだけでいいので、大変作業性をよくすることができるものである。
【００３０】
また、支柱固定部８に立設したコード保持部２７に電源コード２６を取り付ることで本体ケース部３が首振り動作をしても電源コード２６が回りの部品に接触せず、接触による電源コード２６の被覆が摩耗や、被覆が破れてショートや、電源コード２６の電線の疲労破断を防止できるものである。
【００３１】
又、前記コード保持部２７は、長手方向に電源コード２６を差し込むための差し込み部２８を有した略円筒状のもので、その上方に設けた上部係止片３４と、その下方に設けた下部係止片３５とによりコード固定手段係止部３６を形成したので、組み立て時や修理の時、首振り軸の軸回りや軸内部に電源コード２６を通したり抜いたりする必要がなく、支柱固定部８に立設した略円筒状のコード保持部２７の差し込み部２８から電源コード２６を取り付けたり外したりするだけでいいので、大変作業性をよくすることができるものである。
【００３２】
また、コード保持部２７に電源コード２６を取り付けるために、コード保持部２７の差し込み部２８から電源コード２６を差し込んだ状態でコード固定手段３７で電源コード２６を取り付けるので、コード固定手段３７を取ったり外したりするだけで容易に電源コード２６をコード保持部２７に取り外しでき、更にコード固定手段３７が上方向に動くとコード保持部２７の上部係止片３４に当接し、下方向に動くとコード保持部２７の下部係止片３５に当接して、コード固定手段３７がコード保持部２７から外れないようになっているので、確実に電源コード２６をコード保持部２７に取り付けることができるものである。
【００３３】
又、前記コード保持部２７の上部２９を断面略Ｕ字状に形成し、その下の中央部３０は断面略Ｃ字状に形成して異なる断面形状とし、上部係止片３４と下部係止片３５の方向を略直交するように形成したので、前記コード保持部２７は、長手方向に電源コード２６を差し込むための差し込み部２８を有した略円筒状のもので、その上方に設けた上部係止片３４と、その下方に設けた下部係止片３５とによりコード固定手段係止部３６を形成したので、組み立て時や修理の時、首振り軸の軸回りや軸内部に電源コード２６を通したり抜いたりする必要がなく、支柱固定部８に立設した略円筒状のコード保持部２７の差し込み部２８から電源コード２６を取り付けたり外したりするだけでいいので、大変作業性をよくすることができるものである。
【００３４】
又、コード保持部２７に電源コード２６を取り付けるために、コード保持部２７の差し込み部２８から電源コード２６を差し込んだ状態でコード固定手段３７で電源コード２６を取り付けるので、コード固定手段３７を取ったり外したりするだけで容易に電源コード２６をコード保持部２７に取り外しでき、更にコード固定手段３７が上方向に動くとコード保持部２７の上部係止片３４に当接し、下方向に動くとコード保持部２７の下部係止片３５に当接して、コード固定手段３７がコード保持部２７から外れないようにできるものである。
【００３５】
更に上部係止片３４と下部係止片３５の方向が略直交しているので、コード保持部２７全体では電源コード２６を包むようにして電源コード２６が外れにくくすると共に電源コード２６を保護し、またコード固定手段３７の取り付け位置がコード保持部２７の略中心付近の位置となるので、より確実に電源コード２６をコード保持部２７に取り付けることができると共に、より確実にコード固定手段３７がコード固定手段係止部３６に当接してコード保持部２７から外れないようにできるものである。
【図面の簡単な説明】
【００３６】
【図１】この発明の一実施例を付した電気ストーブを示す斜視図。
【図２】同側面図。
【図３】同カバー部を取り外した状態の側面図。
【図４】同支持部の部品構成図。
【図５】同支柱固定板カバーの平面図。
【図６】同正面図。
【図７】同要部断面図。
【図８】同電源コードを取り付けた状態の支柱固定板カバーの平面図。
【図９】同正面図。
【符号の説明】
【００３７】
１  電気ストーブ
２  ヒータ
３  本体ケース部
４  支持部
５  首振り機構部
７  支柱部
８  支柱固定部
９  ベース部
２６  電源コード
２７  コード保持部
【図１】
2010071494.tif 000003
【図２】
2010071494.tif 000004
【図３】
2010071494.tif 000005
【図４】
2010071494.tif 000006
【図５】
2010071494.tif 000007
【図６】
2010071494.tif 000008
【図７】
2010071494.tif 000009
【図８】
2010071494.tif 000010
【図９】
2010071494.tif 000011